(57)【特許請求の範囲】
【請求項１】
側溝に設置される集水枡の底部に嵌合する通水ケースと、前記通水ケースに着脱自在に設けた通水性の浄水フィルタとを具備し、
前記浄水フィルタを、粉末状の活性炭を混入させた繊維マットと、この繊維マットを保持する通水性のホルダとで構成するとともに、前記通水ケースの内面には前記ホルダを着脱自在に保持する位置決め手段を設け、
前記位置決め手段は、前記浄水フィルタを挟着保持するレールを備えることを特徴とする側溝用浄化装置。
【請求項２】
前記浄水フィルタを、前記側溝の流路を遮るように間隔を置いて並設したことを特徴する請求項１記載の側溝用浄化装置。
【請求項３】
押え金具を前記浄水フィルタの幅に合わせて相対向するようにして固定し、それら押え金具の間によって前記レールを構成したことを特徴とする請求項１又は２記載の側溝用浄化装置。
【発明の詳細な説明】
【０００１】
【発明の属する技術分野】
本発明は、側溝を流れる排水を浄化する側溝用浄化装置に関する。
【０００２】
【発明が解決しようとする課題】
一般に道路脇には雨水等を排水するＵ字型側溝が設置されているが、下水道の未整備地域においては、家庭からの生活雑排水を側溝に排水し、最終的に河川などに排水することから河川の水質汚染の大きな原因となっている。このような、問題を解決するために、木炭層による浄化機能を備えた側溝が、特開平６−１０６１８０号公報、特開平４−２３８９２５号公報などで提案されている。しかし、これらの浄化装置は、浄化装置を組み込むために側溝を加工が必要である。すなわち、特開平６−１０６１８０号公報では、浄化装置が組み込まれる側溝は、側溝の底部に開口部を形成するとともに、開口部と連続するように地中を掘削して凹部を形成し、この凹部に木炭層を敷設し、さらに、木炭層の上に根張り性のよい植物を植栽している。一方、特開平４−２３８９２５号公報においても、浄化装置が組み込まれる側溝は、底部に開口部が形成され、この開口部に濾材を充填したカートリッジを着脱自在に嵌め入れている。このように、これらの側溝用浄化装置は、浄化装置が組み込まれる側溝に開口部を形成することから、既存の側溝に新たに浄化装置を組み込むには、底部に開口部を有する側溝に交換する必要があり、作業的にも面倒であった。また、特開平６−１０６１８０号公報では、木炭層に植栽した植物によって浮遊物を除去し、かつ、植物の根による濾過作用及び木炭層により浄化作用によって水質浄化を図るものであるため、木炭層に根張り性のよい植物を植栽することから、浄化作用が低下した木炭層を交換することが極めて困難である。この点、特開平４−２３８９２５号公報では、側溝の底部に形成した開口部に浄水用カートリッジを着脱可能に設けた構造であるため、側溝に取り付けたカートリッジを簡単に交換することができるものの、特開平４−２３８９２５号で提案される側溝用カートリッジは、側溝に形成する開口部から排水を地下に浸透させて地下水として還元させることを目的とするものであって、側溝を流れる排水を浄化させることはできない。すなわち、側溝を流れる排水が開口部から全て地下に浸透することは困難であり、開口部を通過した排水は何等、浄化されないまま流れて、最終的に河川などに排水されてしまうという問題があった。
【０００３】
そこで、本発明は、このような課題を解決して、側溝を改造することなく、簡単かつ容易に側溝に浄化機能を備えることができるとともに、浄水フィルタを簡単に交換することができる側溝用浄化装置を提供することを目的とする。
【０００４】
【課題を解決するための手段】
請求項１の側溝用浄化装置は、側溝に設置される集水枡の底部に嵌合する通水ケースと、前記通水ケースに着脱自在に設けた通水性の浄水フィルタとを具備し、前記浄水フィルタを、粉末状の活性炭を混入させた繊維マットと、この繊維マットを保持する通水性のホルダとで構成するとともに、前記通水ケースの内面には前記ホルダを着脱自在に保持する位置決め手段を設け、前記位置決め手段は、前記浄水フィルタを挟着保持するレールを備えるものである。
【０００５】
上記構成により、側溝に設けられた集水枡の底部に通水ケースを装着すると、通水ケースが集水枡の内側に嵌合して集水枡に通水ケースが位置決めされる。ここで、側溝に設けられる集水枡は、形状的に規格化されているので、集水枡を改造することなく集水枡に通水ケースを固定することができる。これにより、既存の集水枡に通水ケースを簡単に後付けすることができる。このようにして集水枡に通水ケースを装着した後、通水ケースに浄水フィルタを装着し、上流側の側溝から集水枡に流れた排水が浄水フィルタを通過して浄化される。こうして、浄水フィルタによって側溝に排水された生活雑排水が浄化され、水質浄化が図られる。
【０００６】
請求項１の側溝用浄化装置は、前記浄水フィルタを、粉末状の活性炭を混入させた繊維マットと、この繊維マットを保持する通水性のホルダとで構成するとともに、前記通水ケースの内面には前記ホルダを着脱自在に保持する位置決め手段を設けたものである。
【０００７】
これにより、上流側の側溝から集水枡に流れる排水が浄水フィルタを通過して活性炭の浄化作用によって家庭からの側溝へと排水された生活雑排水の水質浄化が図られる。この浄水フィルタはレールによって通水ケースに着脱自在に取り付けられているので、簡単に通水ケースから取り外すことができ、浄水機能の低下した浄水フィルタの交換も容易に行える。
【０００８】
請求項２の側溝用浄化装置は、請求項１記載の側溝用浄化装置において、前記浄水フィルタを、前記側溝の流路を遮るように間隔を置いて並設したものである。
【０００９】
これにより、側溝を流れる生活雑排水が多段階に渡って浄化される。
【００１０】
請求項３の側溝用浄化装置は、押え金具を前記浄水フィルタの幅に合わせて相対向するようにして固定し、それら押え金具の間によって前記レールを構成したものである。
【００１１】
【発明の実施形態】
以下、本発明の側溝用浄化装置の実施例について図１〜図３を参照して説明する。同図において１はＵ字型側溝、２はこの側溝１に設置される集水枡であり、共にコンクリートからなる従来から周知の構造である。集水枡２は底部２Ａの周縁から側壁３を一体形成し、その左右の側壁３に側溝１が連設されている。また、集水枡２の底部２Ａは、側溝１から流れる排水が集水枡２が一時的に溜まるよう側溝１の底部１Ａより深く設定されている。
【００１２】
５は集水枡２の内部に装着する通水ケースであり、格子網６と、この格子網６の周縁部に一体化した樹脂枠６Ａからなる。この通水ケース５は集水枡２の内側に嵌まるように有底箱型に形成され、集水枡２の底部２Ａに装着して集水枡２に嵌合させることによって、通水ケース５が集水枡２に位置決め固定される。この場合、通水ケース５の高さは集水枡２の底部２Ａからほぼ側溝１の底部１Ａまでに設定されている。また通水ケース５の内部には浄水フィルタ６を保持するための位置決め手段として一対のＬ型押え金具７,７が、前記通水ケース５の底部から左右内面にかけて連続するように固定されている。この押え金具７,７は、図１に示すように、浄水フィルタ６の幅に合わせて相対向するようにして固定され、これら押え金具７,７の間によって浄水フィルタ６を挟着保持するレール８を形成している。なお、通水ケース５には二組の押え金具７,７が間隔をおいて固定され、この押え金具７,７によって構成される一対のレール８にそれぞれ浄水フィルタ６を装着することによって、通水ケース５に浄水フィルタ６,６が並設的に装着される。
【００１３】
前記浄水フィルタ６は、不織繊維などから成る繊維マット10に粉末状の活性炭11を混入し、これを格子状のホルダ12で保持して構成される。なお、図中20は集水枡２の開口部を塞ぐ例えばグレーチングなどからなる蓋体、21は側溝１の開口部を塞ぐ溝蓋、23は浄水フィルタ６に形成するミシン目であり、浄水フィルタ６の大きさを調整する際などにおいて、ミシン目23の部分で浄水フィルタ６を切り取ることによって浄水フィルタ６の大きさを変更できるようになっている。
【００１４】
以上のように本実施例では、側溝1に設けられた集水枡２の底部２Ａに通水ケース５を装着する。通水ケース５は集水枡２の大きさに合わせて形成されているので、集水枡２の内側に嵌合する。また、側溝1に設けられた集水枡２は、形状的に規格化されているので、既存の集水枡２にも新設の集水枡２にも通水ケース５を嵌合することができる。これにより、集水枡２の底部２Ａに通水ケース５を位置決め状態で固定することができる。このようにして集水枡２に通水ケース５を装着した後、通水ケース５に固定した各押え金具７,７間にそれぞれ浄水フィルタ６のホルダ12を挿入することにより、ホルダ12の下縁と左右両側縁が押え金具７,７によって挟着保持される。このようにして、通水ケース５を介して集水枡２に取り付けられる浄水フィルタ６,６は、側溝１を流れる排水の流路Ｒを遮るように並列的に設置され、上流側の側溝１から集水枡２に流れた排水が浄水フィルタ６，６を通過して浄化される。こうして、浄水フィルタ６，６によって家庭からの側溝１へと排水された生活雑排水が側溝１に間隔をおいて設置された集水枡２に取り付けられる浄水フィルタ６,６の活性炭11による浄化作用によって水質浄化が図られる。また、浄水フィルタ６,６は、通水ケース５に固定した押え金具７,７間に形成されるレール８に挟着保持されているので、浄水フィルタ６,６を単に引き抜くだけで簡単に通水ケース５から取り外すことができる。したがって、浄化作用が低下した浄水フィルタ６,６の交換作業も容易であるからメンテナンス性にも優れる。
【００１５】
また、浄水フィルタ６,６を固定する通水ケース５は、集水枡２と嵌合する形状に形成されているため、集水枡２に浄水フィルタ６,６を固定するために、集水枡２並びに側溝１には何等の改造も必要がない。このため、既存、新設を問わず単に集水枡２に通水ケース５を嵌め合わせるだけで、側溝１に通水ケース５を位置決め状態で装着することができ、この通水ケース５に固定した押え金具７,７の間に浄水フィルタ６を嵌め入れれば側溝１に浄水フィルタ６,６を簡単に組み付けることができる。
【００１６】
このように、本実施例では、浄水フィルタ６,６を組み込むために側溝１や集水枡２を加工することなく、従来構造と全く同じ構成の集水枡２に浄水フィルタ６,６を簡単かつ容易に組み込むことができ、施工性にも優れる。また、集水枡２に取り付けた浄水フィルタ６,６は通水ケース５に固定した押え金具７,７間に形成されるレール８に挟着保持されているので、浄水フィルタ６,６を単に引き抜くだけで簡単に通水ケース５から取り外すことができるから、浄水フィルタ６,６の交換も容易である。したがって、浄水機能が低下した浄水フィルタ６,６を交換することで浄水フィルタ６,６による浄化作用を常に安定した状態で維持することができる。さらに、浄水フィルタ６,６は間隔をおいて並列的に設けることで側溝１を流れる生活雑排水を多段階に渡って浄化することができる。
【００１７】
以上、本発明の実施例について詳述したが、本発明は、前記実施例に限定されるものではなく、本発明の要旨の範囲内で種々の変形実施が可能である。例えば、通水ケースは格子網で構成した例を示したが、板材に多数の孔を穿孔したパンチングメタルなどでもよい。また、浄水フィルタの構成は前記実施例に限定されるものではない。
【００１８】
【発明の効果】
請求項１の側溝用浄化装置によれば、側溝に設置される集水枡の底部に嵌合する通水ケースと、前記通水ケースに着脱自在に設けた通水性の浄水フィルタとを具備し、前記浄水フィルタを、粉末状の活性炭を混入させた繊維マットと、この繊維マットを保持する通水性のホルダとで構成するとともに、前記通水ケースの内面には前記ホルダを着脱自在に保持する位置決め手段を設け、前記位置決め手段は、前記浄水フィルタを挟着保持するレールを備えるものであるから、集水枡や側溝を改造することなく既存の集水枡に通水ケースを簡単に後付けすることができ、この通水ケースに装着した浄水フィルタによって家庭からの側溝へと排水された生活雑排水が浄化され、水質浄化が図られる。
【００１９】
また、活性炭の浄化作用によって家庭から排水された生活雑排水の水質浄化が図られるとともに、浄水機能の低下した浄水フィルタの交換も容易であり、メンテナンス性にも優れる。
【００２０】
請求項２の側溝用浄化装置によれば、請求項１記載の側溝用浄化装置において、前記浄水フィルタを、前記側溝の流路を遮るように間隔を置いて並設したものであるから、側溝を流れる生活雑排水を多段階に渡って浄化される。
【００２１】
請求項３の側溝用浄化装置によれば、請求項１又は２記載の側溝用浄化装置において、押え金具を前記浄水フィルタの幅に合わせて相対向するようにして固定し、それら押え金具の間によって前記レールを構成したから、浄水機能の低下した浄水フィルタの交換も容易であり、メンテナンス性にも優れる。
【図面の簡単な説明】
【図１】本発明の一実施例を示す断面図である。
【図２】同上図１のＡ−Ａ線断面図である。
【図３】同上浄水フィルタの正面図である。
【符号の説明】
１  側溝
２  集水枡
５  通水ケース
６  浄水フィルタ
７  押え金具（位置決め手段）
８  レール
10  繊維マット
11  活性炭
12  ホルダ
【図１】
0004430223.tif 000002
【図２】
0004430223.tif 000003
【図３】
0004430223.tif 000004